【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
コンテンツ・ライブラリのコンテンツ・アイテムの共有レベルを特定するコンピューター実装方法であって、
前記コンテンツ・ライブラリの第１コンテンツ・アイテムに関連付けられる第１共有設定を取り出すステップと、
前記コンテンツ・ライブラリの第２コンテンツ・アイテムに関連付けられる第２共有設定を取り出すステップと、
前記第１共有設定に基づいて、前記第１コンテンツ・アイテムに関連付けられる第１共有状態をセットするステップであって、前記第１共有状態が、
コンテンツ・アイテムがオーナーによってのみアクセス可能であることを示すロック状態、
前記コンテンツ・アイテムが閾値以下の第１数のユーザーによってのみアクセス可能であることを示すスモール準ロック状態、
前記コンテンツ・アイテムが前記閾値より大きい第２数のユーザーによってのみアクセス可能であることを示すラージ順ロック状態、
前記コンテンツ・アイテムが企業内の従業員によってのみアクセス可能であることを示す企業状態、および
前記コンテンツ・アイテムが公にアクセス可能であることを示すグローバル状態
を含む複数の共有状態からセットされる、ステップと、
前記第２共有設定に基づいて、前記第２コンテンツ・アイテムに関連付けられる第２共有状態を、前記複数の共有状態からセットするステップと、
複数の行、複数の列、および複数の要素を収容するコンテンツ・リストを表示するステップであって、
前記複数の行が前記第１コンテンツ・アイテムに対応する第１行、および前記第２コンテンツ・アイテムに対応する第２行を含み、
前記複数の列が共有ヒント列を含み、
前記複数の要素が第１要素および第２要素を含み、
前記第１要素が、前記第１行上の前記共有ヒント列に配置されると共に、前記第１共有状態に対応する第１共有アイコンを収容し、
前記第２要素が、前記第２行上の前記共有ヒント列に配置されると共に、前記第２共有状態に対応する第２共有アイコンを収容する、
ステップと
のためのコンピューター実装動作を含む、コンピューター実装方法。
【請求項２】
請求項１記載のコンピューター実装方法であって、更に、
カーソルが前記第１共有アイコン上をホバリングしていることを示す第１ユーザー相互作用を受けるステップと、
前記カーソルが前記第１共有アイコン上をホバリングしていることを示す前記第１ユーザー相互作用を受けたことに応答して、前記コンテンツ・リスト上に位置するツールチップを起動するステップであって、該ツールチップが、前記第１コンテンツ・アイテムにアクセスするのをオーナーによって許可された許可ユーザーの名前のリストを収容する、ステップと
のためのコンピューター実装動作を含む、コンピューター実装方法。
【請求項３】
請求項２記載のコンピューター実装方法であって、更に、
前記第１共有アイコンが選択されたことを示す第２ユーザー相互作用を受けるステップと、
前記第１共有アイコンが選択されたことを示す前記第２ユーザー相互作用を受けたことに応答して、前記コンテンツ・リスト上に位置するウィンドウを起動するステップであって、該ウィンドウが、前記許可ユーザーに前記オーナーがコンタクトするのを可能にするインターフェースを収容する、ステップと
のためのコンピューター実装動作を含む、コンピューター実装方法。
【請求項４】
前記インターフェースが更に、前記オーナーが、前記許可ユーザーを修正するのを可能にする、請求項３記載のコンピューター実装方法。
【請求項５】
請求項１記載のコンピューター実装方法において、
前記第１共有設定が、前記第１コンテンツ・アイテムにアクセスするのをオーナーによって許可された第１セットのユーザーを指定し、
前記第２共有設定が、前記第２コンテンツ・アイテムにアクセスするのを前記オーナーによって許可された第２セットのユーザーを指定する、コンピューター実装方法。
【請求項６】
請求項５記載のコンピューター実装方法において、
前記第１共有設定に基づいて前記第１コンテンツ・アイテムに関連付けられる前記第１共有状態をセットする前記ステップが、前記複数の共有状態から、前記第１共有設定と一致する前記第１共有状態を特定するステップを含み、
前記第２共有設定に基づいて前記第２コンテンツ・アイテムに関連付けられる前記第２共有状態をセットする前記ステップが、前記複数の共有状態から、前記第２共有設定と一致する前記第２共有状態を特定するステップを含む、コンピューター実装方法。
【請求項７】
請求項５記載のコンピューター実装方法において、前記複数の行、前記複数の列、および前記複数の要素を収容する前記コンテンツ・リストを表示する前記ステップが、
複数の共有アイコンから、前記第１共有状態に一致する前記第１共有アイコンを特定するステップと、
前記複数の共有アイコンから、前記第２共有状態に一致する前記第２共有アイコンを特定するステップと
を含む、コンピューター実装方法。
【請求項８】
請求項７記載のコンピューター実装方法において、前記複数の共有アイコンが、
前記ロック状態に対応するロック・アイコン、
前記スモール準ロック状態に対応する人アイコン、
前記ラージ準ロック状態に対応する人々アイコン、
前記企業状態に対応する建物アイコン、および
前記グローバル状態に対応する地球儀アイコン
を含む、コンピューター実装方法。
【請求項９】
請求項８記載のコンピューター実装方法において、
前記第１セットのユーザーの数が前記閾値未満であり、
前記第１共有アイコンが前記人アイコンを含み、
前記第１共有アイコンが、該第１共有アイコンに隣接または部分的に重複して配置される数字インジケーターを含み、前記数字インジケーターが前記第１セットのユーザーの前記数を指定する、コンピューター実装方法。
【請求項１０】
請求項１記載のコンピューター実装方法において、
前記複数の列が、種別列、名前列、修正列、および修正者列を更に含み、
前記複数の要素が、第１種別の要素、第２種別の要素、第１名前要素、第２名前要素、第１修正要素、第２修正要素、第１修正者要素、第２修正者要素を更に含み、
前記第１種別要素が、前記第１行上の前記種別列に配置されると共に、前記第１コンテンツ・アイテムの第１種別を指定する第１種別アイコンを収容し、
前記第２種別要素が、前記第２行上の前記種別列に配置されると共に、前記第２コンテンツ・アイテムの第２種別を指定する第２種別アイコンを収容し、
前記第１名前要素が、前記第１行上の前記名前列に配置されると共に、前記第１コンテンツ・アイテムの第１名前を収容し、
前記第２名前要素が、前記第２行上の前記名前列に配置されると共に、前記第２コンテンツ・アイテムの第２名前を収容し、
前記第１修正要素が、前記第１行上の前記修正列に配置されると共に、前記第１コンテンツ・アイテムが最後に修正された第１日時を収容し、
前記第２修正要素が、前記第２行上の前記修正列に配置されると共に、前記第２コンテンツ・アイテムが最後に修正された第２日時を収容し、
前記第１修正者要素が、前記第１行上の前記修正者列に配置されると共に、前記第１コンテンツ・アイテムを最後に修正した者の第１識別子を収容し、
前記第２修正者要素が、前記第２行上の前記修正者列に配置されると共に、前記第２コンテンツ・アイテムを最後に修正した者の第２識別子を収容する、コンピューター実装方法。
【請求項１１】
コンピューター実行可能命令を格納して有するコンピューター可読ストレージ媒体であって、コンピューターによって実行されると、該コンピューターに、
コンテンツ・ライブラリの第１コンテンツ・アイテムに関連付けられる第１共有設定を取り出すステップであって、前記第１共有設定が、前記第１コンテンツ・アイテムにアクセスするのをオーナーによって許可された第１セットのユーザーを指定する、ステップと、
前記コンテンツ・ライブラリの第２コンテンツ・アイテムに関連付けられる第２共有設定を取り出すステップであって、前記第２共有設定が、前記第２コンテンツ・アイテムにアクセスするのを前記オーナーによって許可された第２セットのユーザーを指定する、ステップと、
前記第１共有設定に基づいて、前記第１コンテンツ・アイテムに関連付けられる第１共有状態をセットするステップであって、前記第１共有状態が、
コンテンツ・アイテムが前記オーナーによってのみアクセス可能であることを示すロック状態、
前記コンテンツ・アイテムが閾値以下の第１数のユーザーによってのみアクセス可能であることを示すスモール準ロック状態、
前記コンテンツ・アイテムが閾値より大きい第２数のユーザーによってのみアクセス可能であることを示すラージ順ロック状態、
前記コンテンツ・アイテムが企業内の従業員によってのみアクセス可能であることを示す企業状態、および
前記コンテンツ・アイテムが公にアクセス可能であることを示すグローバル状態
を含む複数の共有状態からセットされる、ステップと、
前記第２共有設定に基づいて、前記第２コンテンツ・アイテムに関連付けられる第２の共有状態を前記複数の共有状態からセットするステップと、
複数の行、複数の列、および複数の要素を収容するコンテンツ・リストを表示するステップであって、
前記複数の行が前記第１コンテンツ・アイテムに対応する第１行、および前記第２コンテンツ・アイテムに対応する第２行を含み、
前記複数の列が共有ヒント列を含み、
前記複数の要素が第１要素および第２要素を含み、
前記第１要素が、前記第１行上の前記共有ヒント列に配置されると共に、前記第１共有状態に対応する第１共有アイコンを収容し、
前記第２要素が、前記第２行上の前記共有ヒント列に配置されると共に、前記第２共有状態に対応する第２共有アイコンを収容する、
ステップと
を行わせる、コンピューター可読ストレージ媒体。
【請求項１２】
請求項１１記載のコンピューター可読ストレージ媒体において、
前記第１共有設定に基づいて前記第１コンテンツ・アイテムに関連付けられる前記第１共有状態をセットするために、前記コンピューター実行可能命令が更に、前記コンピューターに、前記複数の共有状態から、前記第１共有設定と一致する前記第１共有状態を特定させ、また、
前記第２共有設定に基づいて前記第２コンテンツ・アイテムに関連付けられる前記第２共有状態をセットするために、前記コンピューター実行可能命令が更に、前記コンピューターに、前記複数の共有状態から、前記第２共有設定と一致する前記第２共有状態を特定させる、コンピューター可読ストレージ媒体。
【請求項１３】
請求項１２記載のコンピューター可読ストレージ媒体において、前記複数の行、前記複数の列、および前記複数の要素を収容する前記コンテンツ・リストを表示するために、記コンピューター実行可能命令が更に、前記コンピューターに、
複数の共有アイコンから、前記第１共有状態に一致する前記第１共有アイコンを特定させ、
前記複数の共有アイコンから、前記第２共有状態に一致する前記第２共有アイコンを特定させる、
を含む、コンピューター可読ストレージ媒体。
【請求項１４】
請求項１３記載のコンピューター可読ストレージ媒体において、前記複数の共有アイコンが、
前記ロック状態に対応するロック・アイコン、
前記スモール準ロック状態に対応する人アイコン、
前記ラージ準ロック状態に対応する人々アイコン、
前記企業状態に対応する建物アイコン、および
前記グローバル状態に対応する地球儀アイコン
を含む、コンピューター可読ストレージ媒体。
【請求項１５】
請求項１４記載のコンピューター可読ストレージ媒体において、
前記第１セットのユーザーの数が前記閾値未満であり、
前記第１共有アイコンが前記人アイコンを含み、
前記第１共有アイコンが、該第１共有アイコンに隣接または部分的に重複して配置される数字インジケーターを含み、前記数字インジケーターが前記第１セットのユーザーの前記数を指定し、
前記第１共有アイコンが、前記第１セットのユーザーの内１人が、前記第１コンテンツ・アイテムを現在編集しているときに、色付けするように適合される、コンピューター可読ストレージ媒体。
【請求項１６】
請求項１５記載のコンピューター可読ストレージ媒体において、前記コンピューター実行可能命令が更に、前記コンピューターに、
カーソルが前記第１共有アイコン上をホバリングしていることを示す第１ユーザー相互作用を受けるステップと、
前記カーソルが前記第１共有アイコン上をホバリングしていることを示す前記第１ユーザー相互作用を受けたときに、前記コンテンツ・リスト上に位置するツールチップを起動するステップであって、該ツールチップが、前記第１セットのユーザーの名前のリストを収容する、ステップと
を行わせる、コンピューター可読ストレージ媒体。
【請求項１７】
請求項１６記載のコンピューター可読ストレージ媒体において、前記コンピューター実行可能命令が更に、前記コンピューターに、
前記第１共有アイコンが選択されたことを示す第２ユーザー相互作用を受けるステップと、
前記第１共有アイコンが選択されたことを示す前記第２ユーザー相互作用を受けたときに、前記コンテンツ・リスト上に位置するウィンドウを起動するステップであって、該ウィンドウは、前記オーナーが前記第１セットのユーザーにコンタクトすると共に、前記第１セットのユーザーを修正するのを可能にするインターフェースを収容する、ステップと
を行わせる、コンピューター可読ストレージ媒体。
【請求項１８】
コンピューター・システムであって、
プロセッサーと、
前記プロセッサーに通信可能に結合されるメモリと、
前記メモリから前記プロセッサーにおいて実行されるプログラム・モジュールであって、前記プロセッサーによって実行されると、前記コンピューター・システムに、
コンテンツ・ライブラリの第１コンテンツ・アイテムに関連付けられる第１共有設定を取り出すステップであって、前記第１共有設定が、前記第１コンテンツ・アイテムにアクセスするのをオーナーによって許可された第１セットのユーザーを指定する、ステップと、
前記コンテンツ・ライブラリの第２コンテンツ・アイテムに関連付けられる第２共有設定を取り出すステップであって、前記第２共有設定が、前記第２コンテンツ・アイテムにアクセスするのを前記オーナーによって許可された第２セットのユーザーを指定する、ステップと、
前記第１共有設定に基づいて、前記第１コンテンツ・アイテムに関連付けられる第１共有状態をセットするステップと、
前記第２共有設定に基づいて、前記第２コンテンツ・アイテムに関連付けられる第２共有状態をセットするステップと、
複数の行、複数の列、および複数の要素を収容するコンテンツ・リストを表示するステップであって、
前記複数の行が、前記第１コンテンツ・アイテムに対応する第１行、および前記第２コンテンツ・アイテムに対応する第２行を含み、
前記複数の列が共有ヒント列を含み、
前記複数の要素が第１要素および第２要素を含み、
前記第１要素が、前記第１行上の前記共有ヒント列に配置されると共に、前記第１共有状態に対応する第１共有アイコンを収容し、
前記第１共有アイコンが、該第１共有アイコンに隣接または部分的に重複して配置される数字インジケーターを含み、該数字インジケーターが前記第１セットのユーザーの数を指定し、
前記第２要素が、前記第２行上の前記共有ヒント列に配置されると共に、前記第２共有状態に対応する第２共有アイコンを収容する、
ステップと
を行わせる、プログラム・モジュールと
を備える、コンピューター・システム。
【請求項１９】
請求項１１記載のコンピューター可読ストレージ媒体において、
前記第１共有設定が、前記第１コンテンツ・アイテムにアクセスするのをオーナーによって許可された第１セットのユーザーを指定し、
前記第２共有設定が、前記第２コンテンツ・アイテムにアクセスするのを前記オーナーによって許可された第２セットのユーザーを指定する、コンピューター可読ストレージ媒体。
【請求項２０】
請求項１１記載のコンピューター可読ストレージ媒体において、
前記複数の列が、種別列、名前列、修正列、および修正者列を更に含み、
前記複数の要素が、第１種別の要素、第２種別の要素、第１名前要素、第２名前要素、第１修正要素、第２修正要素、第１修正者要素、第２修正者要素を更に含み、
前記第１種別要素が、前記第１行上の前記種別列に配置されると共に、前記第１コンテンツ・アイテムの第１種別を指定する第１種別アイコンを収容し、
前記第２種別要素が、前記第２行上の前記種別列に配置されると共に、前記第２コンテンツ・アイテムの第２種別を指定する第２種別アイコンを収容し、
前記第１名前要素が、前記第１行上の前記名前列に配置されると共に、前記第１コンテンツ・アイテムの第１名前を収容し、
前記第２名前要素が、前記第２行上の前記名前列に配置されると共に、前記第２コンテンツ・アイテムの第２名前を収容し、
前記第１修正要素が、前記第１行上の前記修正列に配置されると共に、前記第１コンテンツ・アイテムが最後に修正された第１日時を収容し、
前記第２修正要素が、前記第２行上の前記修正列に配置されると共に、前記第２コンテンツ・アイテムが最後に修正された第２日時を収容し、
前記第１修正者要素が、前記第１行上の前記修正者列に配置されると共に、前記第１コンテンツ・アイテムを最後に修正した者の第１識別子を収容し、
前記第２修正者要素が、前記第２行上の前記修正者列に配置されると共に、前記第２コンテンツ・アイテムを最後に修正した者の第２識別子を収容する、コンピューター可読ストレージ媒体。